(57)【要約】【課題】  螺子部材とプレートを強固に一体化することにより、螺子部材の骨及びプレートからの不用意な離脱を防止し、骨折部位を接合した状態を長期にわたって安定・保持し、それによって、骨折部位を完全に治癒させることを可能にする骨接合装置を提供すること。【解決手段】  骨折した骨の表面に沿って設置され貫通孔を有するプレートと、上記プレートの貫通孔に内装され雌螺子部を有する貫通孔を備えた座金と、軸部及び頭部を備えそれら軸部及び頭部に夫々雄螺子部を有し上記座金を通して上記骨折した骨に螺合される螺子部材と、を具備し、上記軸部の雄螺子部を上記骨に螺合させると共に上記頭部の雄螺子部を上記座金の雌螺子部に螺合させることにより、上記プレートを上記骨に固定するようにしたもの  【選択図】  図１
2010119638.tif 000002
【特許請求の範囲】
【請求項１】
骨折した骨の表面に沿って設置され貫通孔を有するプレートと、
上記プレートの貫通孔に内装され雌螺子部を有する貫通孔を備えた座金と、
軸部及び頭部を備えそれら軸部及び頭部に夫々雄螺子部を有し上記座金を通して上記骨折した骨に螺合される螺子部材と、
を具備し、
上記軸部の雄螺子部を上記骨に螺合させると共に上記頭部の雄螺子部を上記座金の雌螺子部に螺合させることにより、上記プレートを上記骨に固定するようにしたことを特徴とする骨接合装置。
【請求項２】
請求項１記載の骨接合装置において、
上記螺子部材の頭部が上記軸部方向に向かって縮径されるようなテーパ状になっており、一方、上記座金はその一部が切り欠かれていて、上記螺子部材の頭部の雄螺子部を上記座金の雌螺子部に螺合させることにより上記座金を拡開させて上記プレートの貫通孔に密着させるようにしたことを特徴とする骨接合装置。
【請求項３】
請求項１又は請求項２記載の骨接合装置において、
上記座金はその貫通孔が偏心・配置されていて厚肉部と薄肉部とを備えており、上記厚肉部の一部が切り欠かれていることを特徴とする骨接合装置。
【請求項４】
請求項１〜請求項３の何れかに記載の骨接合装置において、
上記プレートの貫通孔の内周面は円弧状に形成されていると共に、上記座金の外周面も円弧状に形成されていることを特徴とする骨接合装置。
【請求項５】
請求項４記載の骨接合装置において、
上記プレートの貫通孔の表面側の内径は上記座金の外径より大きく設定されていて、一方、裏面側の内径は上記座金の外径より小さく設定されていることを特徴とする骨接合装置。
【発明の詳細な説明】
【技術分野】
【０００１】
本発明は、例えば、大腿骨の骨折した部位を接合するために用いられる骨接合装置に係り、特に、プレートを骨に固定している螺子部材の骨及びプレートからの不用意な離脱を防止して、強固な接合状態を長期にわたって維持することができるように工夫したものに関する。
【背景技術】
【０００２】
骨折した骨を接合する場合には、まず、骨折した部位を跨ぐようにプレートを設置し、該プレートを複数本の螺子部材によって骨に固定していた。すなわち、上記プレートには複数個の貫通孔が穿孔されていて、上記螺子部材をこの貫通孔を通して上記骨に螺合させるものであり、それによって、上記プレートを骨に固定するものである。
【０００３】
この種の骨接合装置の構成を開示するものとして、例えば、特許文献１や特許文献２がある。
尚、特許文献２は本件特許出願人によるものである。
【特許文献１】特開平２００１−１６１７０４号公報
【特許文献２】特開平２００３−３８５０８号公報
【発明の開示】
【発明が解決しようとする課題】
【０００４】
上記従来の構成によると次のような問題があった。すなわち、従来の骨接合装置の場合には、プレートの貫通孔を通した螺子部材を骨に螺合させる構成になっている。その際、経時変化によって螺子部材の骨に対する螺合が緩んでしまうことがあり、その場合には螺子部材が骨とプレートから外れてしまうおそれがあった。螺子部材が離脱してしまうとプレートの骨折部位に対する設置・固定状態も損なわれてしまうことになり、その結果、骨折部位の強固な接合ひいては骨折部位の正常な治療が阻害されてしまうおそれがあった。
【０００５】
本発明はこのような点に基づいてなされたものでその目的とするところは、螺子部材とプレートを強固に一体化することにより、螺子部材の骨及びプレートからの不用意な離脱を防止し、それによって、骨折部位を接合した状態を長期にわたって安定・保持し、それによって、骨折部位を完全に治癒させることを可能にする骨接合装置を提供することにある。
【課題を解決するための手段】
【０００６】
上記目的を達成すべく本願発明の請求項１による骨接合装置は、骨折した骨の表面に沿って設置され貫通孔を有するプレートと、上記プレートの貫通孔に内装され雌螺子部を有する貫通孔を備えた座金と、軸部及び頭部を備えそれら軸部及び頭部に夫々雄螺子部を有し上記座金を通して上記骨折した骨に螺合される螺子部材と、を具備し、上記軸部の雄螺子部を上記骨に螺合させると共に上記頭部の雄螺子部を上記座金の雌螺子部に螺合させることにより、上記プレートを上記骨に固定するようにしたことを特徴とするものである。
又、請求項２による骨接合装置は、請求項１記載の骨接合装置において、上記螺子部材の頭部が上記軸部方向に向かって縮径されるようなテーパ状になっており、一方、上記座金はその一部が切り欠かれていて、上記螺子部材の頭部の雄螺子部を上記座金の雌螺子部に螺合させることにより上記座金を拡開させて上記プレートの貫通孔に密着させるようにしたことを特徴とするものである。
又、請求項３による骨接合装置は、請求項１又は請求項２記載の骨接合装置において、上記座金はその貫通孔が偏心・配置されていて厚肉部と薄肉部とを備えており、上記厚肉部の一部が切り欠かれていることを特徴とするものである。
又、請求項４による骨接合装置は、請求項１〜請求項３の何れかに記載の骨接合装置において、上記プレートの貫通孔の内周面は円弧状に形成されていると共に、上記座金の外周面も円弧状に形成されていることを特徴とするものである。
又、請求項５による骨接合装置は、請求項４記載の骨接合装置において、上記プレートの貫通孔の表面側の内径は上記座金の外径より大きく設定されていて、一方、裏面側の内径は上記座金の外径より小さく設定されていることを特徴とするものである。
【発明の効果】
【０００７】
以上述べたように本願発明の請求項１による骨接合装置は、骨折した骨の表面に沿って設置され貫通孔を有するプレートと、上記プレートの貫通孔に内装され雌螺子部を有する貫通孔を備えた座金と、軸部及び頭部を備えそれら軸部及び頭部に夫々雄螺子部を有し上記座金を通して上記骨折した骨に螺合される螺子部材と、を具備し、上記軸部の雄螺子部を上記骨に螺合させると共に上記頭部の雄螺子部を上記座金の雌螺子部に螺合させることにより、上記プレートを上記骨に固定するようにした構成になっているので、プレートと螺子部材を強固に一体化させることが可能となり、それによって、セット後における螺子部材の骨及びプレートからの不用意な離脱を防止して、骨折部位の強固な接合状態を長期にわたって維持することが可能となり、骨折部位の正常な状態での治癒を図る上で大きな効果を発揮するものである。
又、請求項２による骨接合装置の場合には、螺子部材の頭部がテーパ状になっていることに加え、座金の一部が切り欠かれているため、螺子部材の頭部を座金の雌螺子部に螺合させていくと座金の外周面が広がることで座金の外周面とプレートの貫通孔の内周面が密着し、プレートと螺子部材を座金を介して強固に固定することができる。
又、請求項３による骨接合装置の場合には、座金の貫通孔が偏心しているため、該貫通孔に貫通して設置される螺子部材の方向決めの自由度が高くなる。加えて、座金に薄肉部が存在するため、その部分が弾性変形することで座金が効率よく拡開される。
又、請求項４による骨接合装置は、プレートの貫通孔の内周面及び座金の外周面が円弧状となっているため、座金の貫通孔を貫通して設置される螺子部材の向きを広範囲で調整することが可能になる。
又、請求項５による骨接合装置は、プレートの貫通孔の表面側の外径が座金の外径より大きいため、プレートの表面側から座金を挿入し易い。一方、該貫通孔の裏面側の外径は座金の外径より小さいため、挿入した座金がプレートの裏面側へと脱落するのを防ぐことができる。
【発明を実施するための最良の形態】
【０００８】
以下、図１乃至図７を参照して、本発明の第１の実施の形態を説明する。まず、図１に示すように、大腿骨１があり、該大腿骨１は骨折していて、図１中その骨折部位を符号３で示す。上記骨折部位３を挟んで骨片１ａと骨片１ｂに分かれている。上記骨折部位３は本実施の形態による骨接合装置４によって接合される構成になっている。以下、この骨接合装置４の構成を詳細に説明する。
【０００９】
まず、図１に示すように、プレート５があり、このプレート５は上記骨折部位３を跨ぐように設置されている。上記プレート５は、図２に示すように、略Ｔ字形状をなしていて、短片５ａと長片５ｂとから構成されている。又、上記プレート５は、図４に示すように、上記大腿骨１の外周面に滑らかに沿うように湾曲形状となっている。上記プレート５には、図２にも示すように、複数個（この実施の形態の場合には８個）の貫通孔７が穿孔されている。具体的には、上記短片５ａに３個、上記長片５ｂに５個の貫通孔７が夫々形成されている。上記貫通孔７の内周面９は、図４に示すように、円弧状（球面状又は任意の極率の円弧状）となっている。上記貫通孔７の大きさであるが、図４に示すように、上記プレート５の表面側の内径ｄ１は裏面側の内径ｄ２に対して大きく設定されていると共に、後述する座金との関係で、表面側の内径ｄ１は座金の外径に対して大きく設定されていると共に、裏面側の内径ｄ２は座金の外径に対して小さく設定されている。
尚、図２中符号６、６は位置決め用の孔である。
【００１０】
上記プレート５は、図１に示すように、螺子部材１１によって上記大腿骨１に固定されている。上記螺子部材１１は、図５及び図６に示すように、頭部１３と軸部１５から構成されている。上記頭部１３の側面は上記軸部１５側から反軸部１５側に向かってその径を拡大するようなテーパ形状になっている。上記頭部１３には雄螺子部１７が設けられている。
但し、上記頭部１３の上記軸部１５側の一部１３ａには雄螺子部は設けられていない。
又、上記頭部１３の上面には、図６に示すように、略正六角形の穴１４が設けられている。この穴１４には図示しない治具が差し込まれることになる。
【００１１】
又、上記軸部１５にも雄螺子部１９が設けられており、該雄螺子部１９の先端側にはタップ部２１が設けられている。すなわち、上記雄螺子部１９の螺子山の一部が切り欠かれていて（図５中切欠部を符号２１ａで示す）、それによって、螺子切り機能が付与されているものである。
【００１２】
上記頭部１３の雄螺子部１７と上記軸部１５の雄螺子部１９との関係についてさらに詳しく説明する。この実施の形態の場合には、図５に示すように、頭部１３の雄螺子部１７のピッチＰ１が軸部１５の雄螺子部１９のピッチＰ２に対して半分に設定されている。具体的には、Ｐ１が１ｍｍ、Ｐ２が２ｍｍである。このように設定することにより、螺子部材１１を螺合させた場合、軸部１５の螺合量と頭部１３の螺合量の間に差が発生することになる。それによって、大腿骨１をプレート５側に引き寄せようとするものである。
尚、本発明はそのような構成に限定されるものではなく、例えば、上記構成において、頭部１３の雄ねじ部７を二条ねじとして、いわゆる空回りを防止するように構成する場合もあり、又、頭部１３の雄螺子部１７のピッチＰ１と軸部１５の雄螺子部１９のピッチＰ２を等しく設定する場合もある。
【００１３】
図１に示すように、上記プレート５の貫通孔７の内部には座金２３が内装されている。上記座金２３は、図７に示すように、球体を中心から均等な位置にある２つの平行な平面で切断した略太鼓形状をしている。又、上記座金２３には貫通孔２５が穿孔されている。上記貫通孔２５は偏心した位置に穿孔されており、その内周面には雌螺子部２７が形成されている。このように貫通孔２５を偏心させたのは、すでに説明した螺子部材１１の方向決めをより広範囲で行うことができるようにするためである。又、上記貫通孔２５が偏心した位置にあるため、上記座金２３には厚肉部２３ａと薄肉部２３ｂが存在し、上記厚肉部２３ａには切り欠き部２９が形成されている。これは、より弾性変形し易い上記薄肉部２３ｂ側をバネ部として機能させるためである。
【００１４】
上記座金２３の外周面３１は円弧状に形成されている。又、前述したように、上記プレート５の貫通孔７の表面側の内径ｄ１は裏面側の内径ｄ２に対して大きく設定されているとともに、上記表面側の内径ｄ１は上記座金２３の外径よりも大きく設定されており、一方、上記裏面側の内径ｄ２は上記座金２３の外径よりも小さく設定されている。よって、上記座金２３は上記プレート５の表面側から上記貫通孔２５内に内装することができるとともに、上記貫通孔２５内部から上記プレート５の裏面側へと不用意に脱落しないように構成されている。
【００１５】
上記螺子部材１１は、上記プレート５の貫通孔７内に内装された上記座金２３の貫通孔２５を貫通し、軸部１５の雄螺子部１９が大腿骨１に螺合されている。又、上記螺子部材１１の頭部１３の雄螺子部１７は、座金２３の雌螺子部２７に螺合されている。そして、上記プレート５を座金２３を介して複数本の螺子部材１１によって設置・固定することにより、骨片１ａ、１ｂの接合状態が強固に維持されることになる。
【００１６】
上記の構成を基にその作用を説明する。
まず、大腿骨１の骨折部位３を跨ぐようにプレート５を設置し、これを複数本の螺子部材１１によって固定していく。その際、上記プレート５の複数個の貫通孔７には予め座金２３が内装されている。上記螺子部材１１を上記座金２３の貫通孔２５を通して、上記大腿骨１に螺合させていく。
【００１７】
その際、螺子部材１１をどのような方向に螺合させていくかについては骨折部位の状況等により任意に決定されることになるが（予め所定の方向に沿って穿孔が施されている）、螺子部材１１の方向に対応するように、座金２３がプレート５の貫通孔７に対して適宜移動することになる。すなわち、座金２３の円弧状の外周面３１と貫通孔７の円弧状の内周面９とが相互に摺動することにより座金２３の上記螺子部材１１の方向に対応した適切な位置が決定されることになる。
【００１８】
そして、所定の方向に向かって上記螺子部材１１の軸部１５の雄螺子部１９の上記大腿骨１への螺合が進むとやがて上記螺子部材１１の頭部１３の雄螺子部１７と上記座金２３の上記雌螺子部２７とが螺合し始める。又、上記螺子部材１１の上記頭部１３はテーパ状になっており、上記座金２３は上記切欠部２９を有するため、上記螺子部材１１の上記頭部１３の雄螺子部１７の上記座金２３の上記貫通孔２５の上記雌螺子部２７への螺合が進むと上記座金２３が押し広げられる。その結果、上記座金２３の上記外周面３１が、上記プレート５における上記貫通孔７の上記内周面９に密着されることとなる。
【００１９】
以上のような手順で、プレート５が大腿骨１の表面に設置・固定されることになり、それによって、大腿骨１の骨片１ａと上記骨片１ｂの接合状態が強固に保持されることになる。そして、一定の養生期間を経過することにより、大腿骨１の骨折部位３は治癒することになる。
尚、骨接合装置４は治癒後もそのまま残されることもあるし、撤去されることもある。
【００２０】
以上本実施の形態によると、次のような効果を奏することができる。
まず、螺子部材１１の頭部１３に設けられた雄螺子部１７と座金２３の貫通孔２５内の雌螺子部２７とが螺合するため、上記螺子部材１１と上記座金２３及びプレート５が強固に固定されることになる。それによって、セット後における螺子部材１１の大腿骨１及びプレート５からの不用意な離脱を防止することができる。そして、骨折部位の強固な接合状態を長期にわたって安定した状態で維持することが可能になり、骨折部位の正常な状態での治癒を図る上で大きな効果を発揮することができる。
又、上記座金２３はプレート５の貫通孔７に対して任意の向きに移動可能な構成になっているので、螺子部材１１が任意の方向に向かって螺合されるような場合においても、その方向に応じて座金２３がプレート５の貫通孔７に対して移動することにより容易に対応することができる。
又、上記螺子部材１１の上記頭部１３はテーパ状に形成されているため、上記頭部１３が上記座金２３の上記貫通孔２５の雌螺子部２７に螺合されていくと、上記螺子部材１１の上記頭部１３が上記座金２３を押し広げることになり、座金２３の外周面３１がプレート５の貫通孔７の内周面９に密着されることになる。それによって、上記座金２３は上記プレート５に対して強固に固定されるものであり、結局、螺子部材１１、座金２３、プレート５が強固に固定されることになる。
又、上記プレート５の貫通孔７の表面側の内径ｄ１は上記座金２３の外径よりも大きく設定されており、一方、上記プレート５の貫通孔７の裏面側の内径ｄ２は上記座金２３の外径よりも小さく設定されているため、上記座金２３は上記プレート５の表面側から上記貫通孔２５内に内装し易く、上記貫通孔２５内部から上記プレート５の裏面側へと不用意に脱落しないようになっている。したがって、締結作業時の作業性も大幅に向上するものである。
又、上記座金２３の上記外周面３１と上記プレート５における上記貫通孔７の上記内周面９は円弧状に形成されているので、座金２３のプレート５の貫通孔７に対する位置は広範囲で調整可能となり、それによって、上記座金２３の上記貫通孔２５を貫通して設置される上記螺子部材１１の向きを広範囲で調整することができるものである。
又、上記座金２３の上記貫通孔２５は偏心した位置に設けられているため、それによっても、上記座金２３の上記貫通孔２５を貫通して設置される上記螺子部材１１の位置決めの自由度が高くなるものである。
又、上記座金２３は、上記切り欠き部２９とは反対側の部分に薄肉部２３ｂが存在し、この薄肉部２３ｂが弾性変形し易いため、上記座金２３の上記外周面３１は効率的に外側へ広げられることとなる。
【００２１】
以下、図８乃至図１３を参照して、本願発明の第２の実施の形態について説明する。前記第１の実施の形態の場合には、大腿骨の長手部位の一部を骨折した場合を例に挙げて説明したが、この第２の実施の形態の場合には、大腿骨の骨頭の手前部位を骨折した場合を例に挙げて説明するものである。
まず、図８に示すように大腿骨３３があり、該大腿骨３３は骨折していて、図８中骨折部位を符号３５で示す。又、上記大腿骨３３は上記骨折部位３５を挟んで骨頭３３ａと骨体３３ｂに分かれている。
【００２２】
そして、上記骨折部位３５が本実施の形態による骨接合装置３６によって接合されている。以下、この骨接合装置３６による骨接合の構成について説明する。
まず、上記骨頭３３ａには穴３４ａが穿孔されており、同時に、上記骨体３３ｂにも貫通孔３４ｂが上記穴３４ａに対して直線上に連通するように予め設けられている。
【００２３】
次に、骨接合装置３６であるが、まず、プレート３７があり、このプレート３７は上記骨体３３ｂの側面に設置されている。上記プレート３７は、図９に示すように、長細い形状となっており、且つ、骨体３３ｂの外周面に滑らかに沿うように湾曲した形状となっている。上記プレート３７の一端（図９中右端）は、上記骨体３３ｂとは反対側に屈曲しており、大腿骨３３の骨体３３ｂの図８中上端部の大転子３３ｃの側面に沿うような形状となっている。
【００２４】
上記プレート３７の上記一端には受部４３が設けられている。この受部４３の上記骨体３３ｂ側は大きく開口しており、その内周面４４は円弧状に形成されている。上記受部４３の上記骨体３３ｂの反対側には貫通孔４５が穿孔されている。上記プレート３７の長手方向の中間から他端にかけて、複数個の貫通孔３９（本実施例においては３個）が穿孔されている。上記貫通孔３９の内周面は、前記第１の実施の形態の場合と同様、円弧状（球面状又は任意の極率の円弧状）に形成されている。
【００２５】
上記プレート３７の貫通孔３９内には座金２３が内装されている。上記座金２３は、前記第１の実施の形態において詳細を述べた座金２３と同様のものである。又、図８に示すように、上記プレート３７の貫通孔３９内に内装された上記座金２３の貫通孔２５を貫通して螺子部材１１が設置されている。上記螺子部材１１も、前記第１の実施例において詳細を述べた螺子部材１１と同様のものである。
尚、図中同一部分には同一符号を付して示しその説明は省略する。
【００２６】
又、図８に示すように、上記プレート３７の上記受部４３の上記骨体３３ｂ側にはチューブ４７が配置されている。上記チューブ４７は、図１０に示すように、略半球状の頭部４９と筒状の本体５０から構成されていて、上記頭部４９によって、上記プレート３７の上記受部４３と移動可能に係合する。上記チューブ４７は貫通孔５１が長軸方向に設けられており、上記貫通孔５１の上記頭部４９側の内周面には雌螺子部５３が設けられている。
【００２７】
又、図８に示すように、上記チューブ４７の上記貫通孔５１及び上記骨体３３ｂの上記貫通孔３４ｂを貫通して、ラグスクリュ５５が設置されている。上記ラグスクリュ５５は、図１１に示すように、長軸方向の一端側に雄螺子部５７が形成されている。又、上記ラグスクリュ５５の長軸方向の他端には穴５９が設けられており、上記穴５９の内周５には雌螺子部６１が形成されている。
【００２８】
又、図８に示すように、上記プレート３７における上記受部４３の上記骨体３３ｂの反対側には、セットスクリュ６３が設置されている。上記セットスクリュ６３は、図１２に示すように、頭部６５と軸部６７からなり、上記軸部６７には雄螺子部６９が形成されている。また、上記セットスクリュ６３は長軸方向に貫通孔７１が設けられている。上記セットスクリュ６３の上記雄螺子部６９は、上記チューブ４７の上記雌螺子部５３と螺合している。すなわち、上記セットスクリュ６３と上記チューブ４７によって上記プレート３７が挟まれており、上記セットスクリュ６３の上記雄螺子部６９と上記チューブ４７の上記雌螺子部５３との螺合により固定されている。
【００２９】
又、図８に示すように、上記セットスクリュ６３の上記貫通孔７１を貫通してコンプレッションスクリュ７３が設置されている。上記コンプレッションスクリュ７３は、図１３に示すように、頭部７５と軸部７７からなり、上記軸部７７には雄螺子部７９が設けられている。上記コンプレッションスクリュ７３の上記軸部７７の上記雄螺子部７９は、上記ラグスクリュ５５の雌螺子部６１と螺合している。
【００３０】
以上の構成を基にその作用を説明する。
まず、大腿骨３３の大転子３３ｃ側から穿孔することで、上記骨体３３ｂに貫通孔３４ｂを形成すると共に上記骨頭３３ａに穴３４ａを形成する。そして、上記骨頭３３ａの上記穴３４ａにラグスクリュ５５の雄螺子部５７を螺合させていく。
【００３１】
次に、チューブ４７を上記骨体３３ｂの上記貫通孔３４ｂ内に挿入していく。その際、上記ラグスクリュ５５の上記雄螺子部５７が設けられていない側は上記チューブ４７の貫通孔５１内に設置されることになる。そして、プレート３７を、このプレート３７の受部４３の内周面４４と上記チューブ４７の頭部４９の外周面が当接するように、骨体３３ｂの表面に設置する。
【００３２】
次に、セットスクリュ６３を上記プレート３７の貫通孔４５を通して、上記チューブ４７の上記頭部４９の雌螺子部５３に螺合させていく。これにより、上記チューブ４７は上記プレート３７に固定される。次に、コンプレッションスクリュ７３を、上記セットスクリュ６３の貫通孔７１及び上記チューブ４７の上記貫通孔５１を通して、上記ラグスクリュ５５の雌螺子部６１に螺合させていく。このラグスクリュ５５の螺合が進んでいくと、上記ラグスクリュ５５が上記コンプレッションスクリュ５５の側へ引き寄せられる。すなわち、上記骨頭３３ａが上記骨体３３ｂの側に引き寄せられ、上記骨頭３３ａと上記骨体３３ｂが上記骨折部位３５において接合されることになる。
次に、プレート３７を複数本の螺子部材１１によって骨体３３ｂに固定していく。この固定については前記第１の実施の形態で説明した通りである。
【００３３】
したがって、このような骨折の例においても、前記第１の実施の形態の場合と同様の効果を奏することができるものである。
【００３４】
尚、本発明は前記第１、第２の実施の形態に限定されるものではない。
例えば、前記第１、第２の実施の形態の場合には、大腿骨の骨折を例に挙げて説明したが、それに限定されるものではなく、他の部位の骨折時においても同様に用いることができる。
又、前述したように、前記第１、第２の実施の形態においては、頭部の雄螺子部のピッチを軸部の雄螺子部のピッチに対して半分に設定して、大腿骨をプレート側に引き寄せる構成としたが、それに限定されるものではなく、例えば、上記構成において、頭部の雄ねじ部を二条ねじとして、いわゆる空回りを防止するように構成する場合もあり、又、頭部の雄螺子部のピッチと軸部の雄螺子部のピッチを等しく設定する場合もある。
その他、図示した構成はあくまで一例である。  
【産業上の利用可能性】
【００３５】
本発明は、骨折部位を接合するために用いられる骨接合装置に係り、特に、プレートを骨に固定している螺子部材の不用意な脱落を防止して、強固に接合状態を長期にわたって維持することができるように工夫したものに関し、例えば、大腿骨の骨折時に使用される骨接合装置に好適である。
【図面の簡単な説明】
【００３６】
【図１】本発明の第１の実施の形態を示す図で、骨接合装置により大腿骨の骨折部を接合している状態を表す側断面図である。
【図２】本発明の第１の実施の形態を示す図で、プレート構成を示す斜視図である。
【図３】本発明の第１の実施の形態を示す図で、プレートの構成を示す平面図である。
【図４】本発明の第１の実施の形態を示す図で、図３のＩＶ−ＩＶ断面図である。
【図５】本発明の第１の実施の形態及び第２の実施の形態に用いられる螺子部材の構成を示す側面図である。
【図６】本発明の第１の実施の形態及び第２の実施の形態に用いられる螺子部材の構成を示す斜視図である。
【図７】本発明の第１の実施の形態及び第２の実施の形態に用いられる座金の構成を示す図で、図７(ａ)は座金の斜視図、図７（ｂ）は座金の平面図、図７（ｃ）は図７（ｂ）のｃ−ｃ断面図である。
【図８】本発明の第２の実施の形態を示す図で、骨接合装置により骨折部を接合している状態を表す側断面図である。
【図９】本発明の第２の実施の形態を示す図で、プレートの構成を示す斜視図である。
【図１０】本発明の第２の実施の形態を示す図で、チューブの構成を示す側面図である。
【図１１】本発明の第２の実施の形態を示す図で、ラグスクリュの構成を示す側面図である。
【図１２】本発明の第２の実施の形態を示す図で、セットスクリュの構成を示す側面図である。
【図１３】本発明の第２の実施の形態を示す図で、コンプレッションスクリュの構成を示す側面図である。
【符号の説明】
【００３７】
１  大腿骨
１ａ  骨片
１ｂ  骨片
３  骨折部位
５  プレート
７  貫通孔
９  内周面
１１  螺子部材
１３  頭部
１４  穴
１５  軸部
１７  雄螺子部
１９  雄螺子部
２１  タップ部
２３  座金
２５  貫通孔
２７  雌螺子部
２９  切欠部
３１  外周面
３３  大腿骨
３３ａ  骨頭
３３ｂ  骨体
３５  骨折部位
３７  プレート
【図１】
2010119638.tif 000003
【図２】
2010119638.tif 000004
【図３】
2010119638.tif 000005
【図４】
2010119638.tif 000006
【図５】
2010119638.tif 000007
【図６】
2010119638.tif 000008
【図７】
2010119638.tif 000009
【図８】
2010119638.tif 000010
【図９】
2010119638.tif 000011
【図１０】
2010119638.tif 000012
【図１１】
2010119638.tif 000013
【図１２】
2010119638.tif 000014
【図１３】
2010119638.tif 000015